(57)【要約】  本技術は、複数の周波数チャネルの利用状況に応じて空きチャネルで通信を行うことができるようにする通信装置に関する。データを送信可能な周波数チャネルに関するチャネル情報、及びデータの送信に利用する周波数の帯域幅に関する帯域幅情報を生成し、送信可能な周波数チャネルの中から選択した周波数チャネルを利用して、生成したチャネル情報及び帯域幅情報を含む要求信号を他の通信装置に送信し、他の通信装置で受信可能な周波数チャネルとして選択された周波数チャネルを利用して、データを他の通信装置に送信する制御を行う制御部を備える通信装置が提供される。本技術は、例えば、無線LANシステムに適用することができる。
2020031682.tif 000002
【特許請求の範囲】
【請求項１】
データを送信可能な周波数チャネルに関するチャネル情報、及び前記データの送信に利用する周波数の帯域幅に関する帯域幅情報を生成し、
前記送信可能な周波数チャネルの中から選択した周波数チャネルを利用して、生成した前記チャネル情報及び前記帯域幅情報を含む要求信号を他の通信装置に送信し、
前記他の通信装置で受信可能な周波数チャネルとして選択された周波数チャネルを利用して、前記データを前記他の通信装置に送信する
制御を行う制御部を備える
通信装置。
【請求項２】
前記チャネル情報は、前記他の通信装置で選択可能となる周波数チャネルを含む
請求項１に記載の通信装置。
【請求項３】
前記チャネル情報は、前記データの送信に利用する周波数の帯域幅よりも広い帯域幅を選択可能となる周波数チャネルを含む
請求項２に記載の通信装置。
【請求項４】
前記制御部は、
前記他の通信装置が受信可能な周波数チャネルを利用して、前記他の通信装置から送信されてくる応答信号を受信し、
受信した前記応答信号に基づいて、前記受信可能な周波数チャネルの中から、利用する周波数チャネルを選択する
制御を行う
請求項１に記載の通信装置。
【請求項５】
前記要求信号は、マルチチャネルに対応したRTS(Request to Send)フレームであり、
前記応答信号は、CTS(Clear to Send)フレームである
請求項４に記載の通信装置。
【請求項６】
他の通信装置から送信されてくる、前記他の通信装置がデータを送信可能な周波数チャネルに関するチャネル情報、及び前記データの送信に利用する周波数の帯域幅に関する帯域幅情報を含む要求信号を、前記送信可能な周波数チャネルの中から選択された周波数チャネルを利用して受信し、
受信した前記要求信号に含まれる前記チャネル情報及び前記帯域幅情報に基づいて、前記送信可能な周波数チャネルの中から受信可能な周波数チャネルを選択し、
選択した前記受信可能な周波数チャネルを利用して、応答信号を前記他の通信装置に送信する
制御を行う制御部を備える
通信装置。
【請求項７】
前記制御部は、前記応答信号を送信した後に、選択した前記受信可能な周波数チャネルを利用して、前記他の通信装置から送信されてくる前記データを受信する制御を行う
請求項６に記載の通信装置。
【請求項８】
前記チャネル情報は、前記通信装置で選択可能となる周波数チャネルを含む
請求項６に記載の通信装置。
【請求項９】
前記チャネル情報は、前記データの送信に利用する周波数の帯域幅よりも広い帯域幅を選択可能となる周波数チャネルを含む
請求項８に記載の通信装置。
【請求項１０】
前記要求信号は、マルチチャネルに対応したRTSフレームであり、
前記応答信号は、CTSフレームである
請求項６に記載の通信装置。
【請求項１１】
第１の周波数チャネルを利用して、データを他の通信装置に送信し、
前記データの正常な受信の確認を要求するための信号であって、前記他の通信装置が確認信号を送信可能な周波数チャネルに関するチャネル情報を含む要求信号を生成し、
前記送信可能な周波数チャネルの中から選択された第２の周波数チャネルを利用して、生成した前記要求信号を前記他の通信装置に送信する
制御を行う制御部を備える
通信装置。
【請求項１２】
前記第２の周波数チャネルは、前記第１の周波数チャネルと異なる
請求項１１に記載の通信装置。
【請求項１３】
前記制御部は、前記他の通信装置で前記送信可能な周波数チャネルの中から選択された周波数チャネルを利用して、前記他の通信装置から送信されてくる前記確認信号を受信する制御を行う
請求項１１に記載の通信装置。
【請求項１４】
前記チャネル情報は、前記他の通信装置で選択可能となる周波数チャネルを含む
請求項１１に記載の通信装置。
【請求項１５】
前記制御部は、前記送信可能な周波数チャネルを利用して、前記他の通信装置から送信されてくる前記確認信号を受信する制御を行う
請求項１２に記載の通信装置。
【請求項１６】
前記要求信号は、マルチチャネルに対応したBAR(Block Ack Request)フレームであり、
前記確認信号は、ACK(Acknowledgement)フレームである
請求項１１に記載の通信装置。
【請求項１７】
第１の周波数チャネルを利用して、他の通信装置から送信されてくるデータを受信し、
第２の周波数チャネルを利用して、前記他の通信装置から送信されてくる、前記データの正常な受信の確認を要求するための信号であって、確認信号を送信可能な周波数チャネルに関するチャネル情報を含む要求信号を受信し、
前記データを正常に受信した場合、受信した前記要求信号に含まれる前記チャネル情報に基づいて、前記送信可能な周波数チャネルの中から周波数チャネルを選択し、
選択した前記周波数チャネルを利用して、前記確認信号を前記他の通信装置に送信する
制御を行う制御部を備える
通信装置。
【請求項１８】
前記第２の周波数チャネルは、前記第１の周波数チャネルと異なる
請求項１７に記載の通信装置。
【請求項１９】
前記チャネル情報は、前記通信装置で選択可能となる周波数チャネルを含む
請求項１７に記載の通信装置。
【請求項２０】
前記要求信号は、マルチチャネルに対応したBARフレームであり、
前記確認信号は、ACKフレームである
請求項１７に記載の通信装置。
【発明の詳細な説明】
【技術分野】
【０００１】
本技術は、通信装置に関し、特に、複数の周波数チャネルの利用状況に応じて空きチャネルで通信を行うことができるようにした通信装置に関する。
【背景技術】
【０００２】
従来からの無線LAN(Local Area Network)システムは、OFDM(Orthogonal Frequency Division Multiplexing)を利用した規格であるIEEE802.11aやIEEE802.11g規格に準拠した通信方法として、周波数帯域幅として20MHzを基本として設計されており、これを１つの周波数チャネルとして定義されていた。【０００３】
しかしながら、通信速度を高速化する必要性から、後継規格のIEEE802.11n規格では、隣接する２つの周波数チャネルで同時にデータを送る技術が採用されるようになった。【０００４】
さらに、より高速化に対応させるために、IEEE802.11ac規格ではより多くの周波数チャネルを合体して利用するチャネルボンディング技術が採用され、最大で8チャネル、周波数帯域幅160MHzまでを同時に利用する技術が開示されている。【０００５】
このように、今後もより高速化の需要が高まることが予想されることから、さらに多くの周波数チャネルを利用した通信が実施されることが想定されている。【０００６】
また、無線LANシステムにおいて、複数の周波数チャネルを利用した通信に関する技術としては、例えば、特許文献１に開示された技術が知られている。この特許文献１には、複数の周波数チャネルの中から、受信機において送信又は受信にも利用可能な１つの周波数チャネルを選択する技術が開示されている。
【先行技術文献】
【特許文献】
【０００７】
【特許文献１】特表2017-533671号公報
【発明の概要】
【発明が解決しようとする課題】
【０００８】
ところで、複数の周波数チャネルを利用した通信を行うに際しては、複数の周波数チャネルの利用状況に応じて空きチャネルで通信を行うことが想定されるが、そのような空きチャネルを選択して通信を行うための方式は確立されておらず、そのような方式の確立が求められていた。【０００９】
本技術はこのような状況に鑑みてなされたものであり、複数の周波数チャネルの利用状況に応じて空きチャネルで通信を行うことができるようにするものである。
【課題を解決するための手段】
【００１０】
本技術の一側面の通信装置は、データを送信可能な周波数チャネルに関するチャネル情報、及び前記データの送信に利用する周波数の帯域幅に関する帯域幅情報を生成し、前記送信可能な周波数チャネルの中から選択した周波数チャネルを利用して、生成した前記チャネル情報及び前記帯域幅情報を含む要求信号を他の通信装置に送信し、前記他の通信装置で受信可能な周波数チャネルとして選択された周波数チャネルを利用して、前記データを前記他の通信装置に送信する制御を行う制御部を備える通信装置である。【００１１】
本技術の一側面の通信装置においては、データを送信可能な周波数チャネルに関するチャネル情報、及び前記データの送信に利用する周波数の帯域幅に関する帯域幅情報が生成され、前記送信可能な周波数チャネルの中から選択した周波数チャネルを利用して、生成された前記チャネル情報及び前記帯域幅情報を含む要求信号が他の通信装置に送信され、前記他の通信装置で受信可能な周波数チャネルとして選択された周波数チャネルを利用して、前記データが前記他の通信装置に送信される。【００１２】
本技術の一側面の通信装置は、他の通信装置から送信されてくる、前記他の通信装置がデータを送信可能な周波数チャネルに関するチャネル情報、及び前記データの送信に利用する周波数の帯域幅に関する帯域幅情報を含む要求信号を、前記送信可能な周波数チャネルの中から選択された周波数チャネルを利用して受信し、受信した前記要求信号に含まれる前記チャネル情報及び前記帯域幅情報に基づいて、前記送信可能な周波数チャネルの中から受信可能な周波数チャネルを選択し、選択した前記受信可能な周波数チャネルを利用して、応答信号を前記他の通信装置に送信する制御を行う制御部を備える通信装置である。【００１３】
本技術の一側面の通信装置においては、他の通信装置から送信されてくる、前記他の通信装置がデータを送信可能な周波数チャネルに関するチャネル情報、及び前記データの送信に利用する周波数の帯域幅に関する帯域幅情報を含む要求信号が、前記送信可能な周波数チャネルの中から選択された周波数チャネルを利用して受信され、受信された前記要求信号に含まれる前記チャネル情報及び前記帯域幅情報に基づいて、前記送信可能な周波数チャネルの中から受信可能な周波数チャネルが選択され、選択された前記受信可能な周波数チャネルを利用して、応答信号が前記他の通信装置に送信される。【００１４】
本技術の一側面の通信装置は、第１の周波数チャネルを利用して、データを他の通信装置に送信し、前記データの正常な受信の確認を要求するための信号であって、前記他の通信装置が確認信号を送信可能な周波数チャネルに関するチャネル情報を含む要求信号を生成し、前記送信可能な周波数チャネルの中から選択された第２の周波数チャネルを利用して、生成した前記要求信号を前記他の通信装置に送信する制御を行う制御部を備える通信装置である。【００１５】
本技術の一側面の通信装置においては、第１の周波数チャネルを利用して、データが他の通信装置に送信され、前記データの正常な受信の確認を要求するための信号であって、前記他の通信装置が確認信号を送信可能な周波数チャネルに関するチャネル情報を含む要求信号が生成され、前記送信可能な周波数チャネルの中から選択された第２の周波数チャネルを利用して、生成された前記要求信号が前記他の通信装置に送信される。【００１６】
本技術の一側面の通信装置は、第１の周波数チャネルを利用して、他の通信装置から送信されてくるデータを受信し、第２の周波数チャネルを利用して、前記他の通信装置から送信されてくる、前記データの正常な受信の確認を要求するための信号であって、確認信号を送信可能な周波数チャネルに関するチャネル情報を含む要求信号を受信し、前記データを正常に受信した場合、受信した前記要求信号に含まれる前記チャネル情報に基づいて、前記送信可能な周波数チャネルの中から周波数チャネルを選択し、選択した前記周波数チャネルを利用して、前記確認信号を前記他の通信装置に送信する制御を行う制御部を備える通信装置である。【００１７】
本技術の一側面の通信装置においては、第１の周波数チャネルを利用して、他の通信装置から送信されてくるデータが受信され、第２の周波数チャネルを利用して、前記他の通信装置から送信されてくる、前記データの正常な受信の確認を要求するための信号であって、確認信号を送信可能な周波数チャネルに関するチャネル情報を含む要求信号が受信され、前記データを正常に受信された場合、受信された前記要求信号に含まれる前記チャネル情報に基づいて、前記送信可能な周波数チャネルの中から周波数チャネルが選択され、選択された前記周波数チャネルを利用して、前記確認信号が前記他の通信装置に送信される。【００１８】
なお、本技術の一側面の通信装置は、独立した装置であってもよいし、１つの装置を構成している内部ブロックであってもよい。
【発明の効果】
【００１９】
本技術の一側面によれば、複数の周波数チャネルの利用状況に応じて空きチャネルで通信を行うことができる。【００２０】
なお、ここに記載された効果は必ずしも限定されるものではなく、本開示中に記載されたいずれかの効果であってもよい。
【図面の簡単な説明】
【００２１】
【図１】無線ネットワークの構成の例を示した図である。
【図２】現状の方式による無線ネットワークのアクセス制御の例を示した図である。
【図３】新方式による無線ネットワークのアクセス制御の例を示した図である。
【図４】無線LANシステムで利用可能な周波数チャネルの配置の例を示した図である。
【図５】新方式によるマルチチャネルのアクセス制御手順の例を示した図である。
【図６】データフレームの構成の例を示した図である。
【図７】本技術を適用したマルチチャネルRTSフレームの構成の例を示した図である。
【図８】マップのビットマップ形式のチャネル情報のパラメータの例を示した図である。
【図９】帯域幅情報のパラメータの例を示した図である。
【図１０】CTSフレームの構成の例を示した図である。
【図１１】本技術を適用したマルチチャネルBARフレームの構成の例を示した図である。
【図１２】ブロックACKフレームの構成の例を示した図である。
【図１３】本技術を適用した通信装置の構成の例を示したブロック図である。
【図１４】無線通信モジュールの構成の例を示したブロック図である。
【図１５】データの送信側の通信装置の動作を説明するフローチャートである。
【図１６】データの送信側の通信装置の動作を説明するフローチャートである。
【図１７】データの受信側の通信装置の動作を説明するフローチャートである。
【図１８】データの受信側の通信装置の動作を説明するフローチャートである。
【発明を実施するための形態】
【００２２】
以下、図面を参照しながら本技術の実施の形態について説明する。なお、説明は以下の順序で行うものとする。
【００２３】
１．本技術の実施の形態
２．変形例
【００２４】
＜１．本技術の実施の形態＞
【００２５】
従来からの無線LANシステムでは、例えば、隣接する２つの周波数チャネルで同時にデータを送る技術を採用したり、最大で8チャネル、周波数帯域幅160MHzまでを同時に利用可能なチャネルボンディング技術を採用したりして、通信速度の高速度化に対応しているのは先に述べた通りであるが、今後もより高速化の需要が高まることが予想されることから、さらに多くの周波数チャネルを利用した通信が実施されることが想定されている。
【００２６】
これらの無線LANシステムにおいて、従来からのマルチチャネル（複数の周波数チャネル）を利用した通信方法としては、プライマリチャネルにおいて所定のアクセス制御を実施して伝送路へアクセスが可能となった場合に、他のセカンダリチャネルが利用されていなければ、プライマリチャネルに加えて、セカンダリチャネルを併せて用いて通信を実施することができる構成になっていた。
【００２７】
例えば、下記の文献Ａに開示されている構成によれば、アクセスポイント（AP）が複数の端末にマルチユーザ送信する場合に、各端末にあらかじめ割り当てたチャネル情報を、プライマリチャネルでRTS(Request to Send)フレーム（マルチユーザRTS）として送信し、各端末からのCTS(Clear to Send)フレームの受領をもって、データを送信する技術が開示されている。
【００２８】
文献Ａ：国際公開第2016/143718号
【００２９】
また、従来の無線LANシステムにおけるアクセス制御方法として、キャリア検出による伝送路の利用状況を把握し、所定の時間にわたって伝送路が利用されていない場合に、送信を可能とする技術が広く利用されている。
【００３０】
さらに、受信側の通信装置での信号受信を確実に行うために、RTSフレームとCTSフレームをデータ伝送に先立って交換しておき、周囲の通信装置でネットワークアロケーションベクタ（NAV：Network Allocation Vector）を設定する、仮想的キャリア検出によるアクセス制御手順も定義されている。
【００３１】
しかしながら、複数の周波数チャネルを利用してデータを送信する場合、従来からの無線LANシステムが存在することから、20MHz帯域幅の周波数チャネルごとに利用状況を把握しなければならい、という問題がある。
【００３２】
特に、ネットワークアロケーションベクタ（NAV）の設定により、受信中の通信装置が自身の通信装置の近傍にある場合には、信号を検出していなくても送信することができないという問題があった。
【００３３】
従来からのネットワークアロケーションベクタ（NAV）の設定は、RTSフレームとCTSフレームの双方に記載されたDurationの持続時間にわたってネットワークアロケーションベクタ（NAV）が設定されてしまう。そのため、RTSフレームを送信した通信装置は伝送路の利用を検出していなくとも、CTSフレームを送信する通信装置が信号を検出していたり、あるいは隣接するベーシックサービスセット（BSS：Basic Service Set）からの信号によってネットワークアロケーションベクタ（NAV）が設定されていたりすると、CTSフレームを返送（返信）することができず、データの送受信を行うことができないという問題があった。
【００３４】
さらに、送信元となる通信装置からRTSフレームが送信されることによって、周囲にネットワークアロケーションベクタ（NAV）が設定されていることから、データの送受信が行われないにもかかわらず、そのDurationの持続期間にわたって、他の通信装置も送信を行うことができない、という問題があった。
【００３５】
上述の文献Ａに開示されているマルチユーザRTSで周波数チャネルを割り当てる構成では、データ送信チャネルはアクセスポイントによって、事前に各端末に割り当てられており、端末側でオーバーラップするベーシックサービスセット（BSS）の通信装置からのネットワークアロケーションベクタ（NAV）が設定されていなければ、マルチユーザRTSで、CTSフレームの応答を行うことができず、さらにはデータの送信も行うことができず、周波数チャネルを有効に活用することができない、という問題があった。
【００３６】
さらに、データの送信を終了した後に、ACK(Acknowledgement)フレームの返送（返信）を要求する場合において、オーバーラップして存在する他のネットワークの通信装置が受信している場合には、ACKフレームを送信することで、その受信と衝突してしまうという問題があった。
【００３７】
本技術では、上述した問題を解決して、複数の周波数チャネルの利用状況に応じて空きチャネルで通信を行うための通信方法（新方式）を提案する。
【００３８】
すなわち、本技術を適用した通信方法（新方式）において、データの送信側となる通信装置（例えば基地局）では、利用可能な周波数チャネルの中から選択した送信可能な周波数チャネルに関する情報（以下、チャネル情報という）、及びデータの送信に利用する周波数の帯域幅（周波数チャネル数）に関する情報（以下、帯域幅情報という）を含んだ要求信号（例えばMCH_RTSフレーム等の要求フレーム）を生成し、生成した要求信号を、受信側の通信装置（例えば端末局）に送信する。
【００３９】
一方で、データの受信側となる通信装置（例えば端末局）では、送信側の通信装置（例えば基地局）から送信されてくる要求信号（例えばMCH_RTSフレーム）を受信し、受信した要求信号に含まれるチャネル情報及び帯域幅情報に基づいて、送信可能な周波数チャネルの中から受信可能な周波数チャネルを選択し、選択した受信可能な周波数チャネルを利用して、応答信号（例えばCTSフレーム等の応答フレーム）を、送信側の通信装置（例えば基地局）に送信する。
【００４０】
そして、データの送信側となる通信装置（例えば基地局）では、受信側の通信装置（例えば端末局）から送信されてくる応答信号（例えばCTSフレーム）を受信し、受信側の通信装置（例えば端末局）で受信可能な周波数チャネルとして選択された周波数チャネルを利用して、データ（例えばデータフレーム）を、受信側の通信装置（例えば端末局）に送信する。
【００４１】
なお、ここでは、応答フレーム（応答信号）として、現状の方式で用いられるCTSフレームを送信することで、周囲に存在する通信装置に受信利用を通知し、その受信持続時間に相当するネットワークアロケーションベクタ（NAV）を設定させることにより、そのチャネルでデータ受信を確実に実施することが可能となる。
【００４２】
また、本技術を適用した通信方法（新方式）において、データの送信側となる通信装置（例えば基地局）では、第１の周波数チャネル（例えば周波数チャネルf3，f4）を利用して、データ（例えばデータフレーム）を、受信側の通信装置（例えば端末局）に送信する。一方で、データの受信側の通信装置（例えば端末局）では、第１の周波数チャネル（例えば周波数チャネルf3，f4）を利用して、送信側の通信装置（例えば基地局）から送信されてくるデータ（例えばデータフレーム）を受信する。
【００４３】
続いて、データの送信側となる通信装置（例えば基地局）では、データ（例えばデータフレーム）の正常な受信の確認（例えばACKフレーム）を要求するための信号であって、利用可能な周波数チャネルの中から選択した送信可能な周波数チャネル（例えば受信側の通信装置（例えば端末局）が確認信号（例えばACKフレーム）を送信可能な周波数チャネル）に関する情報（チャネル情報）を含む要求信号（例えばBARフレーム等の要求フレーム）を生成し、生成した要求信号（例えばBARフレーム）を、第２の周波数チャネル（例えば周波数チャネルf3，f4と異なる周波数チャネルf1）を利用して送信する。
【００４４】
一方で、データの受信側の通信装置（例えば端末局）では、第２の周波数チャネル（例えば周波数チャネルf1）を利用して、送信側の通信装置（例えば基地局）から送信されてくる要求信号（例えばBARフレーム）を受信し、データ（例えばデータフレーム）を正常に受信した場合には、受信した要求信号に含まれるチャネル情報に基づいて、送信可能な周波数チャネルの中から周波数チャネルを選択し、選択した周波数チャネルを利用して、確認信号（例えばACKフレーム）を、送信側の通信装置（例えば基地局）に送信する。
【００４５】
なお、ここでは、要求フレーム（要求信号）を、BAR(Block Ack Request)フレームとして、これに応答するフレームを、現状の方式で用いられるACKフレームとすることで、確実にACKフレームを返送することが可能となる。
【００４６】
以下、本技術を適用した通信方法（新方式）の詳細について説明する。
【００４７】
（無線ネットワークの構成の例）
図１は、無線ネットワークの構成の例を示した図である。
【００４８】
図１において、ベーシックサービスセットＢＳＳの無線ネットワークとして、基地局ＡＰ１０、端末局ＳＴＡ１１、及び端末局ＳＴＡ１２によって構成されている。さらに、これに隣接するオーバーラップしたベーシックサービスセットＯＢＳＳの無線ネットワークとして、基地局ＡＰ２０、端末局ＳＴＡ２１、及び端末局ＳＴＡ２２によって構成されている。
【００４９】
図１においては、ベーシックサービスセットＢＳＳの端末局ＳＴＡ１２と、ベーシックサービスセットＯＢＳＳの端末局ＳＴＡ２１とが、互いの信号を受信できる位置に存在しており（図中の点線の矢印Ａ１）、これらの端末局ＳＴＡによる信号の送信によって他方の端末局ＳＴＡの受信に干渉を与えてしまうような構成となっている。
【００５０】
（現状のアクセス制御の例）
図２は、図１に示した無線ネットワークの構成を前提として場合における、現状の方式による無線ネットワークのアクセス制御の例を示した図である。
【００５１】
図２においては、ベーシックサービスセットＢＳＳの基地局ＡＰ１０と端末局ＳＴＡ１２、ベーシックサービスセットＯＢＳＳの端末局ＳＴＡ２１と基地局ＡＰ２０との間で交換されるアクセス制御シーケンスを示しており、それぞれ隣接する端末局ＳＴＡの電波が到達する構成となっている。
【００５２】
つまり、ここでは、同一の周波数チャネル上でのデータ伝送に先立ってRTSフレームとCTSフレームを交換して、データフレームによるデータ通信を実行し、その後にACKフレームを返送するシーケンスを示している。
【００５３】
具体的には、RTSフレームが、ベーシックサービスセットＢＳＳの基地局ＡＰ１０と、ベーシックサービスセットＯＢＳＳの基地局ＡＰ２０からそれぞれ送信され（Ｓ１，Ｓ１１）、このRTSフレームに対して、端末局ＳＴＡ１２と端末局ＳＴＡ２１がCTSフレームでそれぞれ応答している（Ｓ２，Ｓ１２）。
【００５４】
そして、基地局ＡＰ１０と端末局ＳＴＡ１２、及び基地局ＡＰ２０と端末局ＳＴＡ２１との間でデータ通信がそれぞれ行われる（Ｓ３，Ｓ１３）が、データ伝送時間に差がある場合に、ACKフレームを返送するタイミングが異なるため、端末局ＳＴＡ２１のACKフレームの返送が、端末局ＳＴＡ１２のデータ受信中に発生する（Ｓ１４）。
【００５５】
これにより、信号の衝突（コリジョン）が発生し、端末局ＳＴＡ１２では、基地局ＡＰ１０からのデータを受信することができなくなる。
【００５６】
（本技術のアクセス制御の例）
図３は、図１に示した無線ネットワークの構成を前提として場合における、新方式による無線ネットワークのアクセス制御の例を示した図である。
【００５７】
図３においては、図２と同様に、ベーシックサービスセットＢＳＳの基地局ＡＰ１０と端末局ＳＴＡ１２、ベーシックサービスセットＯＢＳＳの端末局ＳＴＡ２１と基地局ＡＰ２０との間で交換されるアクセス制御シーケンスを示しており、それぞれ隣接する端末局ＳＴＡの電波が到達する構成となっている。
【００５８】
ここでは、MCH_RTSフレームが、同一の周波数チャネル（f1）上で、ベーシックサービスセットＢＳＳの基地局ＡＰ１０と、ベーシックサービスセットＯＢＳＳの基地局ＡＰ２０からそれぞれ送信される（Ｓ２１，Ｓ３１）。
【００５９】
このMCH_RTSフレームを受信した端末局ＳＴＡ１２と端末局ＳＴＡ２１では、利用可能となっている周波数チャネルをそれぞれ選択してCTSフレームで応答する。このとき、端末局ＳＴＡ１２は、周波数チャネル（f3）を利用してCTSフレームを返送する（Ｓ２２）一方で、端末局ＳＴＡ２１は、周波数チャネル（f2）を利用してCTSフレームを返送する（Ｓ３２）。
【００６０】
これにより、基地局ＡＰ１０と基地局ＡＰ２０は、それぞれ異なる周波数チャネル（f3，f2）でCTSフレームを受信することになる。そして、基地局ＡＰ１０は、周波数チャネル（f3）を利用してデータフレームの送信を実施する（Ｓ２３）一方で、基地局ＡＰ２０は、周波数チャネル（f2）を利用してデータフレームの送信を実施する（Ｓ３３）。なお、ここでも、データ伝送時間に差があるものとする。
【００６１】
その後、端末局ＳＴＡ２１から基地局ＡＰ２０へのACKフレームの返送のタイミングが到来したときに、ここでは、異なる周波数チャネル（f3，f2）を利用していることから、端末局ＳＴＡ１２の受信に影響を与えずに、ACKフレームを交換することができる。
【００６２】
つまり、基地局ＡＰ２０から端末局ＳＴＡ２１に、所定の周波数チャネル（f1）を利用してMCH_BARフレームを送信する（Ｓ３４）。このとき、端末局ＳＴＡ２１は、周波数チャネル（f3）のCTSフレームを検出しているため、それを除いた周波数チャネル（f2）を選択し、選択した周波数チャネル（f2）を利用してACKフレームを返送する（Ｓ３５）。このとき、基地局ＡＰ１０から端末局ＳＴＡ１２に、データフレームが送信されている（Ｓ２３）が、データフレームの送信には周波数チャネル（f3）を利用しているため、信号の衝突は発生しない。
【００６３】
このように、本技術による無線ネットワークのアクセス制御では、基地局ＡＰから送信される要求フレーム（例えば、MCH_RTSフレームやMCH_BARフレーム）に利用可能な周波数チャネルに関するチャネル情報を少なくとも記載して、端末局ＳＴＡから送信される応答フレーム（例えば、CTSフレームやACKフレーム）を利用する周波数チャネルで返送することで、オーバーラップして存在するネットワークの他の端末局ＳＴＡに干渉を与えないようにしている。
【００６４】
図３においては、その後、基地局ＡＰ１０から端末局ＳＴＡ１２に、所定の周波数チャネル（f1）を利用してMCH_BARフレームが送信され（Ｓ２４）、端末局ＳＴＡ１２では、周波数チャネル（f2）を除いた周波数チャネル（f3）が選択され、選択された周波数チャネル（f3）を利用してACKフレームが返送される（Ｓ２５）。このとき、基地局ＡＰ２０から端末局ＳＴＡ２１に、データフレームが送信されている（Ｓ３６）が、データフレームの送信には周波数チャネル（f2）を利用しているため、信号の衝突は発生しない。
【００６５】
（周波数チャネルの配置の例）
図４は、無線LANシステムで利用可能な周波数チャネルの配置の例を示した図である。
【００６６】
図４においては、例えば現在利用可能な周波数帯域である5GHz帯におけるチャネル配置を示している。図４のＡ、すなわち、最上段に示すように、中心周波数に応じて20MHz単位で低い周波数から、チャネル36，40，44，48，52，56，60，64が配置されている。さらに高い周波数では20MHz単位で、チャネル100，104，108，112，116，120，124，128，132，136，140，144までが配置されている。
【００６７】
なお、これらの利用可能な周波数チャネルについては、各国で法制度化されている利用可能な周波数帯域が異なっていることから、それぞれ範囲が異なる場合がある。
【００６８】
図４のＢ（２段目）は、40MHz単位で周波数チャネルを利用する場合の構成を示しており、中心周波数に応じて低い周波数では、チャネル38，46，54，62が配置され、高い周波数では、チャネル102，110，118，126，134，142が配置される。
【００６９】
図４のＣ（３段目）は、80MHz単位で周波数チャネルを利用する場合の構成を示しており、中心周波数に応じて低い周波数では、チャネル42，58が配置され、高い周波数では、チャネル106，122，138が配置される。
【００７０】
図４のＤ（４段目）は、160MHz単位で周波数チャネルを利用する場合の構成を示しており、中心周波数に応じて低い周波数では、チャネル50が配置され、高い周波数では、チャネル114が配置される。
【００７１】
また、図４のＥ（５段目）及び図４のＦ（６段目）には、さらに多くの周波数チャネルを束ねて利用する場合の構成を示しており、高い周波数の240MHzの全てのチャネルを利用するケースと、低い周波数と高い周波数にまたがって320MHzのチャネルを利用するケースをそれぞれ示している。
【００７２】
（本技術のアクセス制御手順の例）
図５は、新方式によるマルチチャネルのアクセス制御手順の例を示した図である。
【００７３】
図５においては、説明の便宜上、f1からf4までの４つの周波数チャネルを利用してマルチチャネルのアクセス制御を実施する手順を示しているが、周波数チャネルの数は一例であって、３つ以下又は５つ以上の周波数チャネルを用いてアクセス制御を実施してもよい。
【００７４】
図５のＡ、すなわち、図中の１段目は、基地局ＡＰ１０の動作として、縦軸は周波数チャネル（f）を表し、横軸は時間（t）を表している。
【００７５】
図５のＡにおいて、基地局ＡＰ１０は、時刻t11に、その周囲で利用されていない周波数チャネルf1〜f4を、自身の送信で利用可能であると判断した場合に、受信先（受信側）の端末局ＳＴＡ１２に対して、チャネル情報及び帯域幅情報を含むMCH_RTSフレーム（図５のＡの「MCH_RTS」）を、所定の周波数チャネルf1を利用して送信する。例えば、このMCH_RTSフレームには、チャネル情報として周波数チャネルf1〜f4が記載され、帯域幅情報として2チャネル（例えば40MHz等）が記載されている。
【００７６】
さらに時刻t12に、基地局ＡＰ１０は、要求フレームとしてのMCH_RTSフレームに対する応答フレーム（CTSフレーム）の受信を、自身の送信で利用可能であると判断した周波数チャネルf1〜f4にて受信の待ち受けを実施して、この例では、周波数チャネルf3，f4で、受信先の端末局ＳＴＡ１２からのCTSフレーム（図５のＢの「CTS」に対応する図５のＡの「Rx」）を受信する。これにより、時刻t13から時刻t14までの間において、基地局ＡＰ１０は、周波数チャネルf3，f4を利用してデータフレーム（図５のＡの「Data」）を端末局ＳＴＡ１２に送信する。
【００７７】
また、時刻t15に、基地局ＡＰ１０は、その周囲で利用されていない周波数チャネルf1〜f4を、自身の送信で利用可能であると判断した場合に、データフレームの受信先であった端末局ＳＴＡ１２に対し、チャネル情報を含むMCH_BARフレーム（図５のＡの「MCH_BAR」）を、所定の周波数チャネルf1を利用して送信する。例えば、このMCH_BARフレームには、チャネル情報として周波数チャネルf1〜f4が記載されている。
【００７８】
ただし、データフレームの送信時に利用される周波数チャネル（f3，f4）と、MCH_BARフレームの送信時に利用される周波数チャネル（f1）とは、異なる周波数チャネルとなっている。
【００７９】
そして、時刻t16に、基地局ＡＰ１０は、要求フレームとしてのMCH_BARフレームに対する応答フレーム（ACKフレーム）の受信を、自身の送信で利用可能であると判断した周波数チャネルf1〜f4にて受信の待ち受けを実施して、この例では、周波数チャネルf3で、受信先の端末局ＳＴＡ１２からのACKフレーム（図５のＢの「ACK」に対応する図５のＡの「Rx」）を受信する。
【００８０】
図５のＢ（２段目）は、端末局ＳＴＡ１２の動作として、縦軸は周波数チャネル（f）を表し、横軸は時間（t）を表している。なお、図５のＢ（２段目）の横軸は、図５のＡ（１段目）の横軸の時系列にも対応しており、図５のＢの時刻t22乃至時刻t27は、図５のＡの時刻t11乃至時刻t16にそれぞれ対応している。
【００８１】
図５のＢにおいて、端末局ＳＴＡ１２は、時刻t21に、周波数チャネルf2にてその周囲に存在する端末局ＳＴＡ２１からのCTSフレーム（図５のＣの「CTS」に対応する図５のＢの「Rx」）を受信した場合、周波数チャネルf2に対し、その後のデータ受信の持続時間までのネットワークアロケーションベクタ（図５のＢの「BUSY/NAV」）を設定する。
【００８２】
さらに時刻t22に、端末局ＳＴＡ１２は、所定の周波数チャネルf1で、基地局ＡＰ１０から自身宛となるMCH_RTSフレーム（図５のＡの「MCH_RTS」に対応する図５のＢの「Rx」）を受信する。例えば、このMCH_RTSフレームには、チャネル情報として周波数チャネルf1〜f4が記載され、帯域幅情報として2チャネル（例えば40MHz等）が記載されている。
【００８３】
端末局ＳＴＡ１２は、MCH_RTSフレームに含まれるチャネル情報に記載された周波数チャネルf1〜f4のうち、周波数チャネルf2についてはネットワークアロケーションベクタ（NAV）が設定されていることから、周波数チャネルf2を除いた周波数チャネルf3，f4の2チャネル（例えば、20MHz×2 = 40MHz）を利用する周波数チャネルとして選択する。ここでは、単一のチャネルではなく、複数のチャネル（マルチチャネル）が選択されることで、例えば、データフレームの受信時間（送信時間）を短縮することができる。
【００８４】
そして、時刻t23に、端末局ＳＴＡ１２は、選択した周波数チャネルf3，f4を利用して、CTSフレーム（図５のＢの「CTS」）を基地局ＡＰ１０に送信する。これにより、時刻t24から時刻t25までの間において、端末局ＳＴＡ１２は、周波数チャネルf3，f4を利用して、基地局ＡＰ１０からのデータフレーム（図５のＡの「Data」に対応した図５のＢの「Rx」）を受信する。
【００８５】
また、データフレームを受信した後の時刻t26に、端末局ＳＴＡ１２は、基地局ＡＰ１０が以前に利用可能と指定していた周波数チャネルf1〜f4にて受信の待ち受けを実施しておき、この例では、所定の周波数チャネルf1で、基地局ＡＰ１０からのMCH_BARフレーム（図５のＡの「MCH_BAR」に対応した図５のＢの「Rx」）を受信する。例えば、このMCH_BARフレームには、チャネル情報として周波数チャネルf1〜f4が記載されている。
【００８６】
ここでも、周波数チャネルf2についてはネットワークアロケーションベクタ（NAV）が設定されていることから、あるいは端末局ＳＴＡ２１からのACKフレームを受信しているタイミングでもあるので、端末局ＳＴＡ１２は、周波数チャネルf1〜f4のうち、周波数チャネルf2を除いた周波数チャネルf3を選択する。そして、時刻t27に、端末局ＳＴＡ１２は、選択した周波数チャネルf3を利用して、ACKフレーム（図５のＢの「ACK」）を基地局ＡＰ１０に送信する。
【００８７】
図５のＣ（３段目）は、端末局ＳＴＡ２１の動作として、縦軸は周波数チャネル（f）を表し、横軸は時間（t）を表している。なお、図５のＣ（３段目）の横軸は、図５のＢ（２段目）の横軸の時系列にも対応しており、図５のＣの時刻t32は、図５のＢの時刻t21と、図５のＣの時刻t34は、図５のＢの時刻t23とそれぞれ対応している。
【００８８】
図５のＣにおいて、端末局ＳＴＡ２１は、時刻t31に、所定の周波数チャネルf1で、基地局ＡＰ２０から自身宛となるMCH_RTSフレーム（図５のＤの「MCH_RTS」に対応した図５のＣの「Rx」）を受信する。例えば、このMCH_RTSフレームには、チャネル情報として周波数チャネルf1〜f4が記載され、帯域幅情報として1チャネル（例えば20MHz等）が記載されている。
【００８９】
ここで、端末局ＳＴＡ２１は、MCH_RTSフレームに含まれるチャネル情報に記載された周波数チャネルf1〜f4に、周囲に利用されている周波数チャネルがないことから、周波数チャネルf2の1チャネル（例えば20MHz）を選択する。
【００９０】
そして、時刻t32に、端末局ＳＴＡ２１は、選択した周波数チャネルf2を利用して、CTSフレーム（図５のＣの「CTS」）を基地局ＡＰ２０に送信する。これにより、時刻t33から時刻t35までの間において、端末局ＳＴＡ２１は、周波数チャネルf2を利用して、基地局ＡＰ２０からのデータフレーム（図５のＤの「Data」に対応した図５のＣの「Rx」）を受信する。
【００９１】
ただし、ここでは、端末局ＳＴＡ２１は、基地局ＡＰ２０が利用可能と指定していた周波数チャネルf1〜f4にて受信の待ち受けを実施しておき、この例では、時刻t34に、周波数チャネルf3，f4にてその周囲に存在する端末局ＳＴＡ１２からのCTSフレーム（図５のＢの「CTS」に対応した図５のＣの「Rx」）を受信した場合、周波数チャネルf3，f4に対し、その後のデータ受信の持続時間までのネットワークアロケーションベクタ（図５のＣの「BUSY/NAV」）を設定する。
【００９２】
そして、データフレームを受信した後の時刻t36に、基地局ＡＰ２０が以前に利用可能と指定していた周波数チャネルf1〜f4にて受信の待ち受けを実施しておき、この例では、所定の周波数チャネルf1で、基地局ＡＰ２０からのMCH_BARフレーム（図５のＤの「MCH_BAR」に対応した図５のＣの「Rx」）を受信する。例えば、このMCH_BARフレームには、チャネル情報として周波数チャネルf1〜f4が記載されている。
【００９３】
ここで、周波数チャネルf3，f4についてはネットワークアロケーションベクタ（NAV）が設定されていることから、端末局ＳＴＡ２１は、周波数チャネルf1〜f4のうち、周波数チャネルf3，f4を除いた周波数チャネルf2を選択する。そして、時刻t37に、端末局ＳＴＡ２１は、選択した周波数チャネルf2を利用して、ACKフレーム（図５のＣの「ACK」）を基地局ＡＰ２０に送信する。
【００９４】
図５のＤ（４段目）は、基地局ＡＰ２０の動作として、縦軸は周波数チャネル（f）を表し、横軸は時間（t）を表している。なお、図５のＤの横軸は、図５のＣ（３段目）の横軸の時系列にも対応しており、図５のＤの時刻t41乃至時刻t46は、図５のＣの時刻t31乃至時刻t37（時刻t34は除く）にそれぞれ対応している。
【００９５】
図５のＤにおいて、基地局ＡＰ２０は、時刻t41に、その周囲で利用されていない周波数チャネルf1〜f4を、自身の送信で利用可能であると判断した場合に、受信先（受信側）の端末局ＳＴＡ２１に対して、チャネル情報及び帯域幅情報を含むMCH_RTSフレーム（図５のＤの「MCH_RTS」）を、所定の周波数チャネルf1を利用して送信する。例えば、このMCH_RTSフレームには、チャネル情報として周波数チャネルf1〜f4が記載され、帯域幅情報として1チャネル（例えば20MHz等）が記載されている。
【００９６】
さらに時刻t42に、基地局ＡＰ２０は、MCH_RTSフレームに対するCTSフレームの受信を、自身の送信で利用可能であると判断した周波数チャネルf1〜f4にて受信の待ち受けを実施して、この例では、周波数チャネルf2で、受信先の端末局ＳＴＡ２１からのCTSフレーム（図５のＣの「CTS」に対応した図５のＤの「Rx」）を受信する。これにより、時刻t43から時刻t44までの間において、基地局ＡＰ２０は、周波数チャネルf2を利用してデータフレーム（図５のＤの「Data」）を端末局ＳＴＡ２１に送信する。
【００９７】
また、時刻t45に、基地局ＡＰ２０は、その周囲で利用されていない周波数チャネルf1〜f4を、自身の送信で利用可能であると判断した場合に、データフレームの受信先であった端末局ＳＴＡ２１に対し、チャネル情報を含むMCH_BARフレーム（図５のＤの「MCH_BAR」）を、所定の周波数チャネルf1を利用して送信する。例えば、このMCH_BARフレームには、チャネル情報として周波数チャネルf1〜f4が記載されている。
【００９８】
ただし、データフレームの送信時に利用される周波数チャネル（f2）と、MCH_BARフレームの送信時に利用される周波数チャネル（f1）とは、異なる周波数チャネルとなっている。
【００９９】
そして、時刻t46に、基地局ＡＰ２０は、MCH_BARフレームに対するACKフレームの受信を、自身の送信で利用可能であると判断した周波数チャネルf1〜f4にて受信の待ち受けを実施して、この例では、周波数チャネルf2で、受信先の端末局ＳＴＡ２１からのACKフレーム（図５のＣの「ACK」に対応した図５のＤの「Rx」）を受信する。
【０１００】
以上のように、本技術によるマルチチャネルのアクセス制御では、基地局ＡＰから端末局ＳＴＡに対してデータフレームを送信するに際して、チャネル情報及び帯域幅情報を含むMCH_RTSフレームを送信することで、複数の周波数チャネル（f1〜f4等）の利用状況に応じた空きチャネル（f3とf4やf2等）を利用して、データフレームの送受信を行うことができる。また、基地局ＡＰが、端末局ＳＴＡからのACKフレームを受領するに際して、チャネル情報を含むMCH_BARフレームを送信することで、複数の周波数チャネル（f1〜f4等）の利用状況に応じた空きチャネル（f3やf2等）を利用して、ACKフレームの送受信を行うことができる。
【０１０１】
（データフレームの構成の例）
図６は、データフレームの構成の例を示した図である。
【０１０２】
図６に示したフレーム構成は、MPDU(MAC Protocol Data Unit)と称され、PHYレイヤのプリアンブル信号に続いて送信される。
【０１０３】
図６において、データフレームは、Frame Control，Duration，Address1乃至Address4，Sequence Control，QoS Control，HT Control，Frame Body，FCSを含む。
【０１０４】
Frame Controlには、フレーム制御情報やフレームの種類が記載される。Durationには、フレームの持続時間が記載される。Address1乃至Address4には、送信元や受信先を識別するアドレス情報が記載される。
【０１０５】
Sequence Controlには、フレームのシーケンス制御を行うためのシーケンス番号情報が記載される。QoS Controlには、フレームのQoS制御のパラメータが記載される。HT Controlには、高スループットの制御のためのパラメータが記載される。
【０１０６】
これらの情報が、MACヘッダとして、実際に送信されるデータに付加される。データフレームにおいては、MACヘッダに対して実際に送信されるデータ部分がFrame Bodyとして構成され、さらに末尾に誤り検出のためのFCS(Frame Check Sequence)が付加される。
【０１０７】
（MCH_RTSフレームの構成の例）
図７は、本技術を適用したマルチチャネルRTSフレーム（MCH_RTSフレーム）の構成の例を示した図である。
【０１０８】
図７において、MCH_RTSフレームは、Frame Control，Duration，Transmit Address，Receive Address，Available Channel Map，Requirement Bandwidth，FCSを含む。
【０１０９】
すなわち、MCH_RTSフレームは、現状のRTSフレームに含まれる、伝送の持続時間が記載されるDuration，送信アドレスが記載されるTransmit Address（TA），受信アドレスが記載されるReceive Address（RA），フレームの末尾のFCSに加えて、新たにAvailable Channel Mapと、Requirement Bandwidth（のパラメータ）が追加されている。
【０１１０】
Available Channel Mapには、利用可能な周波数チャネルの中から選択した送信可能な周波数チャネル、すなわち、送信側の通信装置（例えば基地局ＡＰ）がデータ（例えばデータフレーム）を送信可能な周波数チャネルに関するチャネル情報が記載される。例えば、図８は、Available Channel Mapをビットマップ形式で表した場合の例を示している。
【０１１１】
図８においては、32ビットのビットマップの各ビットを、0〜31の数字で表している。ここでは、先頭のビット0を36チャネル、その次のビット1を40チャネル、・・・、末尾のビット31を160チャネルとして表現し、各ビットに対して利用可能な周波数チャネルが割り当てられる。例えば、Available Channel Mapでは、0〜31のビットで表された利用可能な周波数チャネルのうち、送信可能な周波数チャネルに対応したビットを"1"とし、それ以外のビットを"0"とすることができる。
【０１１２】
なお、ここでは、ビットマップ形式によって、チャネル情報を表現したが、このような形式に限定されるものではなく、チャネル情報としては、チャネル番号を指定可能な形式であれば、他の形式を採用するようにしてもよい。
【０１１３】
Requirement Bandwidthには、データの送信に利用する周波数の帯域幅（周波数チャネル数）に関する帯域幅情報が記載される。例えば、図９は、Requirement Bandwidthとして、利用する周波数の帯域幅を、数値に対応付けて表した場合の例を示している。
【０１１４】
図９においては、データの送信に利用する周波数の帯域幅に対して数値を対応付けることで、例えば、数値0は20MHzの帯域幅、数値1は40MHzの帯域幅、・・・ のように、数値が増えるとともに帯域幅も増加し、数値15では320MHzの帯域幅を利用する帯域幅（チャネル数）として指定することができる。なお、例えば、20MHz単位で周波数チャネルが割り当てられているのであれば、例えば、20MHzである帯域幅は、1であるチャネル数に相当し、また、例えば、40MHzである帯域幅は、2であるチャネル数に相当することになる。
【０１１５】
（CTSフレームの構成の例）
図１０は、CTSフレームの構成の例を示した図である。
【０１１６】
図１０において、CTSフレームは、Frame Control，Duration，Receive Address，FCSを含む。
【０１１７】
すなわち、CTSフレームは、現状のCTSフレームと同様に、伝送の持続時間が記載されるDuration，受信アドレスが記載されるReceive Address（RA），フレームの末尾のFCSから構成される。このように、CTSフレームは、現状と同様の構成とすることで、現状方式の無線LANシステムとの互換性を保つことができる構成となっている。
【０１１８】
（MCH_BARフレームの構成の例）
図１１は、本技術を適用したマルチチャネルBARフレーム（MCH_BARフレーム）の構成の例を示した図である。
【０１１９】
図１１において、MCH_BARフレームは、Frame Control，Duration，Transmit Address，Receive Address，Available Channel Map，BA Control，BA Information，FCSを含む。
【０１２０】
すなわち、MCH_BARフレームは、現状のBARフレームに含まれる、伝送の持続時間が記載されるDuration，送信アドレスが記載されるTransmit Address（TA），受信アドレスが記載されるReceive Address（RA），ブロックACKの制御情報が記載されるBA Control，必要となるブロックACKに関する情報が記載されるBA Information，フレームの末尾のFCSに加えて、新たにAvailable Channel Map（のパラメータ）が追加されている。
【０１２１】
Available Channel Mapは、例えば、図８に示したビットマップ形式の情報などのように、利用可能な周波数チャネルの中から選択した送信可能な周波数チャネル、すなわち、受信側の通信装置（例えば端末局ＳＴＡ）が確認信号（例えばACKフレーム）を送信可能な周波数チャネルに関するチャネル情報が記載される。換言すれば、チャネル情報は、送信側の通信装置（例えば基地局ＡＰ）が、要求信号（例えばMCH_BARフレーム）を送信可能な周波数チャネルであるとも言える。
【０１２２】
なお、返送されるACKフレームの情報（ACK情報）は、データとは異なり短い情報（データ量の少ない情報）となるため、MCH_BARフレームでは、MCH_RTSフレームの構成と比べて、Requirement Bandwidthのパラメータを省くことができる。
【０１２３】
（ブロックACKフレームの構成の例）
図１２は、ブロックACKフレームの構成の例を示した図である。
【０１２４】
図１２において、ブロックACKフレームは、Frame Control，Duration，Transmit Address，Receive Address，BA Control，BA Information，FCSを含む。
【０１２５】
すなわち、ブロックACKフレームは、現状のブロックACKフレームと同様に、伝送の持続時間が記載されるDuration，送信アドレスが記載されるTransmit Address（TA），受信アドレスが記載されるReceive Address（RA），ブロックACKの制御情報が記載されるBA Control，必要となるブロックACKに関する情報が記載されるBA Information，フレームの末尾のFCSから構成される。このように、ブロックACKフレームは、現状と同様の構成とすることで、現状方式の無線LANシステムとの互換性を保つことができる構成となっている。
【０１２６】
（通信装置の構成の例）
図１３は、本技術を適用した通信装置（無線通信装置）の構成の例を示したブロック図である。図１３に示した通信装置１０は、無線ネットワーク（図１）における基地局ＡＰ又は端末局ＳＴＡとして構成される。
【０１２７】
図１３において、通信装置１０は、インターネット接続モジュール１１、情報入力モジュール１２、機器制御部１３、情報出力モジュール１４、及び無線通信モジュール１５を含んで構成される。
【０１２８】
インターネット接続モジュール１１は、例えば、基地局ＡＰとして光ファイバ網やその他の通信回線からサービスプロバイダを介してインターネット網に接続するための機能を有する回路やその周辺回路、マイクロコントローラ、半導体メモリなどから構成される。インターネット接続モジュール１１は、機器制御部１３からの制御に従い、インターネット接続に関する処理を行う。例えば、インターネット接続モジュール１１は、通信装置１０が基地局ＡＰとして動作する場合に、インターネット網へ接続するための通信モデム等の機能が実装される構成となっている。
【０１２９】
情報入力モジュール１２は、例えば、押しボタンやキーボード、タッチパネル等の入力デバイスから構成される。情報入力モジュール１２は、ユーザからの指示に対応する指示情報を、機器制御部１３に入力する機能を有する。
【０１３０】
機器制御部１３は、例えばマイクロプロセッサやマイクロコントローラ等から構成される。機器制御部１３は、通信装置１０を基地局ＡＰ又は端末局ＳＴＡとして動作させるために各部（モジュール）の制御を行う。
【０１３１】
機器制御部１３は、インターネット接続モジュール１１、情報入力モジュール１２、又は無線通信モジュール１５から供給される情報に対する処理を行う。また、機器制御部１３は、自身の処理の結果得られる情報を、インターネット接続モジュール１１、情報出力モジュール１４、又は無線通信モジュール１５に供給する。
【０１３２】
例えば、機器制御部１３は、データの送信時に、プロトコル上位層のアプリケーション等から渡される送信データを、無線通信モジュール１５に供給したり、データの受信時に、無線通信モジュール１５から供給される受信データを、プロトコル上位層のアプリケーション等に渡したりする。
【０１３３】
情報出力モジュール１４は、例えば、液晶ディスプレイ（LCD：Liquid Crystal Display）や、有機ELディスプレイ（OLED：Organic Light Emitting Diode）、LED(Light Emitting Diode)表示器などの表示素子を含む出力デバイスから構成される。
【０１３４】
情報出力モジュール１４は、機器制御部１３から供給される情報に基づき、ユーザに対して必要な情報を表示する機能を有する。ここで、情報出力モジュール１４で処理される情報には、例えば、通信装置１０の動作状態やインターネット網を介して得られる情報などが含まれる。
【０１３５】
無線通信モジュール１５は、例えば、無線チップや周辺回路、マイクロコントローラ、半導体メモリなどから構成される。無線通信モジュール１５は、機器制御部１３からの制御に従い、無線通信に関する処理を行う。無線通信モジュール１５の構成の詳細は、図１４を参照して後述する。
【０１３６】
なお、ここでは、無線通信チップや周辺回路などが搭載された無線通信モジュールを一例に説明するが、本技術は、無線通信モジュールに限らず、例えば、無線通信チップや無線通信LSIなどに適用することができる。さらに、無線通信モジュールにおいて、アンテナを含めるかどうかは任意である。
【０１３７】
また、図１３の通信装置１０において、機器制御部１３及び無線通信モジュール１５は、必須の構成要素となるが、それらを除いたインターネット接続モジュール１１、情報入力モジュール１２、及び情報出力モジュール１４を構成要素に含めるかどうかは任意である。
【０１３８】
すなわち、基地局ＡＰ又は端末局ＳＴＡとして動作する通信装置１０ごとに、必要とされるモジュールのみで構成されるようにすることができ、不要な部分は簡素化されるか、又は組み込まれない構成とすることができる。より具体的には、例えば、インターネット接続モジュール１１は、基地局ＡＰにのみ組み込まれ、情報入力モジュール１２や情報出力モジュール１４は、端末局ＳＴＡにのみ組み込まれるようにすることができる。
【０１３９】
（無線通信モジュールの構成の例）
図１４は、図１３の無線通信モジュール１５の構成の例を示したブロック図である。
【０１４０】
図１４において、無線通信モジュール１５は、インターフェース１０１、送信バッファ１０２、ネットワーク管理部１０３、送信フレーム構築部１０４、マルチチャネル管理部１０５、管理情報生成部１０６、制御フレーム送信処理部１０７、送信電力制御部１０８、無線送信処理部１０９、アンテナ制御部１１０、無線受信処理部１１１、検出閾値制御部１１２、制御フレーム受信処理部１１３、管理情報処理部１１４、受信データ構築部１１５、及び受信バッファ１１６を含んで構成される。
【０１４１】
インターフェース１０１は、例えば入出力インターフェース回路等から構成される。インターフェース１０１は、機器制御部１３（図１３）との間でデータをやり取りするためのインターフェースであって、そこに入力される情報やそこから出力される情報を、所定の信号形式で交換するための機能を有する。
【０１４２】
インターフェース１０１は、機器制御部１３から入力される送信データを送信バッファ１０２に書き込む。また、インターフェース１０１は、機器制御部１３から入力される情報を、ネットワーク管理部１０３に供給したり、あるいはネットワーク管理部１０３から供給される情報を、機器制御部１３に出力したりする。
【０１４３】
送信バッファ１０２は、例えばバッファメモリ等の半導体メモリ装置から構成される。送信バッファ１０２は、インターフェース１０１を介して書き込まれた送信データを一時的に格納する。
【０１４４】
ネットワーク管理部１０３は、無線ネットワークにおける通信装置１０のアドレス情報などの管理を行う。また、ネットワーク管理部１０３は、基地局ＡＰとして通信装置１０が動作している場合に、インターネット網への接続を実施する構成となっている。
【０１４５】
送信フレーム構築部１０４は、送信バッファ１０２に格納された送信データを読み出して、無線通信により伝送するためのデータフレームとして構築し、無線送信処理部１０９に供給する。また、送信フレーム構築部１０４は、送信フレームに関する送信フレーム情報を、管理情報生成部１０６に供給する。
【０１４６】
マルチチャネル管理部１０５は、複数の周波数チャネルにおける利用状況をそれぞれ管理するマルチチャネル管理機能を有している。また、マルチチャネル管理部１０５は、要求フレーム（要求信号）や応答フレーム（応答信号）に記載する利用可能な周波数チャネルの状況を監視し、利用可能なチャネルを即座に把握する機能を有している。
【０１４７】
マルチチャネル管理部１０５は、ネットワーク管理部１０３、検出閾値制御部１１２、制御フレーム受信処理部１１３、又は管理情報処理部１１４から供給される情報に対する処理を行う。また、マルチチャネル管理部１０５は、自身の処理の結果得られる情報（マルチチャネル管理情報）を、ネットワーク管理部１０３、管理情報生成部１０６、制御フレーム送信処理部１０７、送信電力制御部１０８、アンテナ制御部１１０、又は検出閾値制御部１１２に供給する。
【０１４８】
管理情報生成部１０６には、送信フレーム構築部１０４からの送信フレーム情報と、マルチチャネル管理部１０５からのマルチチャネル管理情報が供給される。管理情報生成部１０６は、送信フレーム情報及びマルチチャネル管理情報に基づいて、管理情報を生成し、制御フレーム送信処理部１０７及び無線送信処理部１０９に供給する。
【０１４９】
この管理情報には、例えば、実際に無線通信により送信されるフレームのヘッダ情報や、各種のパラメータが含まれる。例えば、MCH_RTSフレームやMCH_BARフレーム等のマルチ制御フレームの各種パラメータ（例えば、Available Channel MapやRequirement Bandwidth等）も、ここで生成されて、制御フレーム送信処理部１０７に供給される。
【０１５０】
制御フレーム送信処理部１０７には、マルチチャネル管理部１０５からのマルチチャネル管理情報、管理情報生成部１０６からの管理情報、及び制御フレーム受信処理部１１３からの制御フレーム受信情報が供給される。制御フレーム送信処理部１０７は、マルチチャネル管理情報、管理情報、及び制御フレーム受信情報に基づいて、無線送信処理部１０９を制御して、制御フレーム（マルチ制御フレームを含む）を送信するための処理を行う。
【０１５１】
この送信処理では、現状のCTSフレームやACKフレーム等の制御フレームを送信する場合の処理に加えて、MCH_RTSフレームやMCH_BARフレーム等のマルチ制御フレームを送信する場合の処理を一元的に制御する機能が追加されている。
【０１５２】
送信電力制御部１０８は、無線送信処理部１０９に対して、所定のフレームを送信する場合に不要な電波到達範囲にまで信号が届かないように送信電力を制御する。ここでは、マルチチャネル管理部１０５からのマルチチャネル管理情報に基づき、受信側に意図した受信電界強度で信号が届くように必要最低限の送信電力を調整してデータを送信するように制御する機能が備わっている。
【０１５３】
無線送信処理部１０９は、無線通信により送信するフレームをベースバンド信号に変換してアナログ信号として処理し、その処理の結果得られる送信信号を、アンテナ制御部１１０に供給する。
【０１５４】
ここでは、データフレームを送信する場合、無線送信処理部１０９には、送信フレーム構築部１０４からのデータフレーム（送信データを送信するためのフレーム）と、管理情報生成部１０６からの管理情報（そのデータフレームのヘッダ情報）が供給される。無線送信処理部１０９は、データフレームにヘッダ情報を含めて、送信電力制御部１０８からの制御に従い、データフレームに応じた送信信号を生成する。
【０１５５】
また、制御フレーム（マルチ制御フレームを含む）を送信する場合、無線送信処理部１０９には、管理情報生成部１０６からの管理情報が供給される。この管理情報には、制御フレームやマルチ制御フレームの各種パラメータが含まれる。無線送信処理部１０９は、制御フレーム送信処理部１０７及び送信電力制御部１０８からの制御に従い、管理情報から得られる制御フレーム（CTSフレームやACKフレーム等）又はマルチ制御フレーム（MCH_RTSフレームやMCH_BARフレーム等）に応じた送信信号を生成する。
【０１５６】
アンテナ制御部１１０は、複数のアンテナ素子が接続されて構成される。アンテナ制御部１１０は、無線送信処理部１０９から供給される送信信号を、アンテナ素子を介して無線通信により送信する制御を行う。また、アンテナ制御部１１０は、無線通信によって送信されてくる無線信号を、アンテナ素子を介して受信し、無線受信処理部１１１及び検出閾値制御部１１２に供給する。
【０１５７】
無線受信処理部１１１は、検出閾値制御部１１２からの制御に従い、アンテナ制御部１１０から供給される受信信号から、所定のプリアンブル信号を検出した場合に、それ以降に付加されるヘッダ情報やデータ部分を受信する処理を行う。
【０１５８】
ここでは、データフレームを受信した場合、無線受信処理部１１１は、そのデータフレームのヘッダ情報を管理情報処理部１１４に供給し、そのデータフレームを受信データ構築部１１５に供給する。また、制御フレーム（マルチ制御フレームを含む）を受信した場合、無線受信処理部１１１は、その制御フレーム（マルチ制御フレームを含む）を制御フレーム受信処理部１１３及び管理情報処理部１１４に供給する。
【０１５９】
検出閾値制御部１１２は、送信電力制御部１０８による送信電力制御を実施した場合に、その範囲内にある基地局ＡＰ又は端末局ＳＴＡ（の通信装置１０）からの無線信号を検出することができるような信号の検出レベルが設定される。ここでは、空間再利用技術を適用するにあたり、必要最低限の検出閾値で信号を検出するように制御する機能が備わっている。
【０１６０】
制御フレーム受信処理部１１３には、無線受信処理部１１１からの制御フレーム（マルチ制御フレームを含む）が供給される。制御フレーム受信処理部１１３は、無線受信処理部１１１から供給される制御フレーム（マルチ制御フレームを含む）を受信するための処理を行い、その処理の結果得られる制御フレーム受信情報を、マルチチャネル管理部１０５、制御フレーム送信処理部１０７、検出閾値制御部１１２、及び管理情報処理部１１４に供給する。
【０１６１】
この受信処理では、現状のCTSフレームやACKフレームなどの制御フレームを受信した場合の処理に加えて、MCH_RTSフレームやMCH_BARフレーム等のマルチ制御フレームを受信した場合の処理を一元的に制御する機能が追加されている。
【０１６２】
管理情報処理部１１４には、無線受信処理部１１１からのヘッダ情報や制御フレーム（マルチ制御フレームを含む）、及び制御フレーム受信処理部１１３からの制御フレーム受信情報が供給される。管理情報処理部１１４は、ヘッダ情報や制御フレーム、及び制御フレーム受信情報に基づいて、実際に無線通信により送信されてきたフレームのヘッダ情報等を含む管理情報を解析して受信アドレス情報に自身が指定されていた場合に、当該フレームに記載されたパラメータを抽出する。
【０１６３】
例えば、MCH_RTSフレームやMCH_BARフレーム等のマルチ制御フレームの各種パラメータ（例えば、Available Channel MapやRequirement Bandwidth等）も、ここで抽出され、マルチチャネル管理部１０５に供給される。また、管理情報処理部１１４は、管理情報を解析して得られるヘッダ情報等の情報を、受信データ構築部１１５に供給する。
【０１６４】
受信データ構築部１１５は、管理情報処理部１１４から供給されるヘッダ情報等の情報に基づいて、無線受信処理部１１１からのデータフレームから所定のヘッダ情報を除去して必要とされるデータ部分のみを抽出し、受信データとして受信バッファ１１６に書き込む。
【０１６５】
受信バッファ１１６は、例えばバッファメモリ等の半導体メモリ装置から構成される。受信バッファ１１６は、受信データ構築部１１５により書き込まれた受信データを一時的に格納する。受信バッファ１１６に格納された受信データは適宜読み出され、インターフェース１０１を介して機器制御部１３に出力される。
【０１６６】
以上のように構成される無線通信モジュール１５においては、特に、マルチチャネル管理部１０５、管理情報生成部１０６、制御フレーム送信処理部１０７、制御フレーム受信処理部１１３、及び管理情報処理部１１４によって、チャネル情報及び帯域幅情報を含むMCH_RTSフレームや、チャネル情報を含むMCH_BARフレーム等のマルチ制御フレームに関する処理が行われる。
【０１６７】
なお、図１４において、無線通信モジュール１５を構成する各部は、例えば、点線の枠で示すように、送受信データ入出力部１５１と、制御部１５２と、フロントエンド部１５３との３つのブロックに分けることができる。
【０１６８】
ここで、送受信データ入出力部１５１は、インターフェース１０１、送信バッファ１０２、ネットワーク管理部１０３、送信フレーム構築部１０４、受信データ構築部１１５、及び受信バッファ１１６から構成され、主に、入力される送信データや出力される受信データに関する処理や制御が行われる。また、制御部１５２は、マルチチャネル管理部１０５、管理情報生成部１０６、制御フレーム送信処理部１０７、制御フレーム受信処理部１１３、及び管理情報処理部１１４から構成され、主に、制御フレームやマルチ制御フレームなどのフレームに関する処理や制御が行われる。さらに、フロントエンド部１５３は、送信電力制御部１０８、無線送信処理部１０９、アンテナ制御部１１０、無線受信処理部１１１、及び検出閾値制御部１１２から構成され、主に、送信信号や受信信号などの信号に関する処理や制御が行われる。
【０１６９】
（データ送信側の動作）
まず、図１５及び図１６のフローチャートを参照して、例えば、図５の基地局ＡＰ１０や基地局ＡＰ２０等のデータの送信側の通信装置１０（の無線通信モジュール１５）の動作を説明する。
【０１７０】
無線通信モジュール１５では、インターフェース１０１を介して送信データを受領したかどうかが判定され（Ｓ１０１）、送信データを受領したと判定された場合（Ｓ１０１の「YES」）、受領した送信データは、送信バッファ１０２に格納され（Ｓ１０２）、ステップＳ１０３以降の処理が実行される。
【０１７１】
すなわち、マルチチャネル管理部１０５は、送信バッファ１０２に格納されている送信データのデータ量から、送信データの送信に必要な周波数チャネル数（帯域幅）を設定する（Ｓ１０３）。また、このとき、マルチチャネル管理部１０５は、送信データのカテゴリに応じて優先順位が設定される所定のアクセス待ち時間とランダムな待ち時間をあわせて設定する（Ｓ１０４）。
【０１７２】
続いて、マルチチャネル管理部１０５は、送信可能な全ての周波数チャネルの伝送路の利用状況を把握し（Ｓ１０５）、送信データの送信が可能であるかどうかを判定する（Ｓ１０６）。ここでは、ステップＳ１０５，Ｓ１０６の処理が繰り返され、送信データの送信が可能であると判定されたとき（Ｓ１０６の「YES」）、処理は、ステップＳ１０７に進められる。
【０１７３】
管理情報生成部１０６は、送信データの送信が可能なタイミングでその送信データ（を含むデータフレーム）を送信可能な周波数チャネルに関するチャネル情報、及び送信データの送信に利用する周波数の帯域幅に関する帯域幅情報を取得し、MCH_RTSフレーム（のAvailable Channel Map，Requirement Bandwidth）に記載する（Ｓ１０７）。また、このとき、制御フレーム送信処理部１０７は、MCH_RTSフレーム（のAvailable Channel Map）に記載されたチャネル情報の中から１つの周波数チャネルを送信チャネルとして設定する（Ｓ１０８）。
【０１７４】
なお、ここでは、プライマリチャネルとされる周波数チャネルを送信チャネルとして設定するようにしてもよい。そして、無線送信処理部１０９は、ステップＳ１０８の処理で設定された送信チャネルを利用して、MCH_RTSフレームを送信する（Ｓ１０９）。
【０１７５】
続いて、制御フレーム受信処理部１１３は、ステップＳ１０７の処理でチャネル情報として記載した複数の周波数チャネル（いわば受信候補チャネルとしてのマルチチャネル）にて、CTSフレームの受信を待ち受ける設定を行う（Ｓ１１０）。
【０１７６】
そして、無線通信モジュール１５では、ステップＳ１１０の処理で設定された複数の周波数チャネル（受信候補チャネル）で、受信側の通信装置１０（例えば端末局ＳＴＡ）からCTSフレームを受信したかどうかが判定され（Ｓ１１１）、CTSフレームを受信したと判定された場合（Ｓ１１１の「YES」）、マルチチャネル管理部１０５は、対象の受信候補チャネルを、受信側の通信装置１０にてデータフレームの受信が可能な受信可能チャネルとして設定する（Ｓ１１２）。
【０１７７】
また、ここではタイミングとしてはほぼ同時に、CTSフレームを受信した全ての周波数チャネル（受信可能チャネル）に関する情報が取得されたかどうかが判定され（Ｓ１１３）、全ての周波数チャネルに関する情報が取得されていないと判定された場合（Ｓ１１３の「NO」）、ステップＳ１１１乃至Ｓ１１３の処理が繰り返される。このように、ステップＳ１１１乃至Ｓ１１３の処理が並列的に繰り返されることで、CTSフレームの受信があった全ての周波数チャネル（受信可能チャネル）に関する情報が取得される。
【０１７８】
これにより、マルチチャネル管理部１０５は、ステップＳ１１１乃至Ｓ１１３の処理を繰り返すことで得られる受信側の通信装置１０（例えば端末局ＳＴＡ）で受信可能な周波数チャネル数（帯域幅）を取得する（Ｓ１１４）。
【０１７９】
そして、マルチチャネル管理部１０５は、ステップＳ１０３の処理で設定された送信側の通信装置１０（例えば基地局ＡＰ）で送信データ（を含むデータフレーム）の送信に必要な周波数チャネル数（帯域幅）と、ステップＳ１１４の処理で取得された受信側の通信装置１０（例えば端末局ＳＴＡ）で送信データ（を含むデータフレーム）を受信可能な周波数チャネル数（帯域幅）とを比較し、要求される周波数チャネル数（帯域幅）以上（要求数以上）の設定が可能であるかどうかを判定する（Ｓ１１５）。
【０１８０】
そして、要求数以上の設定が可能であると判定された場合（Ｓ１１５の「YES」）、マルチチャネル管理部１０５は、その要求数以上の設定が可能な１又は複数の周波数チャネルを、受信先（受信側の通信装置１０）の受信可能チャネルとして設定する（Ｓ１１６）。また、制御フレーム送信処理部１０７は、ステップＳ１１６の処理で設定した受信先の受信可能チャネルを、送信データの送信チャネルとして設定する（Ｓ１１７）。
【０１８１】
無線送信処理部１０９は、ステップＳ１１７の処理で設定された送信チャネルを利用して、送信データを含むデータフレームを送信する（Ｓ１１８）。なお、ここでは、データフレームの送信中においても、自身が送信可能として指定した全ての周波数チャネルにおいて、逐次周波数チャネルの利用状況を把握するために、他の通信装置１０からのデータフレームやCTSフレームの受信を行う構成としてもよい（Ｓ１１９）。
【０１８２】
また、無線通信モジュール１５では、ACKフレームの受領が必要であるかどうかが判定され（Ｓ１２０）、ACKフレームの受領が必要であると判定された場合（Ｓ１２０の「YES」）、ステップＳ１２１以降の処理が実行される。
【０１８３】
すなわち、管理情報生成部１０６は、ACKフレームの受領が必要なタイミングで受信側の通信装置１０（例えば端末局ＳＴＡ）がACKフレームを送信可能な周波数チャネルに関するチャネル情報を取得して、MCH_BARフレーム（のAvailable Channel Map）に記載する（Ｓ１２１）。また、このとき、制御フレーム送信処理部１０７は、MCH_BARフレーム（のAvailable Channel Map）に記載されたチャネル情報の中から１つの周波数チャネルを送信チャネルとして設定する（Ｓ１２２）。
【０１８４】
なお、ここでは、プライマリチャネルとされる周波数チャネルを送信チャネルとして設定するようにしてもよい。そして、無線送信処理部１０９は、ステップＳ１２２の処理で設定された送信チャネルを利用して、MCH_BARフレームを送信する（Ｓ１２３）。
【０１８５】
あるいは、データフレームの送信時（Ｓ１１８）に利用される送信チャネル（第１の周波数チャネル）と、MCH_BARフレームの送信時（Ｓ１２３）に利用される送信チャネル（第２の周波数チャネル）とは、異なる周波数チャネルとされるようにしてもよい。
【０１８６】
続いて、制御フレーム受信処理部１１３は、ステップＳ１２１の処理でチャネル情報として記載した複数の周波数チャネル（いわば受信候補チャネルとしてのマルチチャネル）にて、ACKフレームの受信を待ち受ける設定を行う（Ｓ１２４）。
【０１８７】
そして、無線通信モジュール１５では、ステップＳ１２４の処理で設定された複数の周波数チャネル（受信候補チャネル）のいずれかで、ACKフレームを受信したかどうかが判定され（Ｓ１２５）、ACKフレームを受信したと判定された場合（Ｓ１２５の「YES」）、送信バッファ１０２に格納された送信データのうち、ACKフレームにより受領確認のとれた送信データが削除される（Ｓ１２６）。
【０１８８】
なお、ステップＳ１２０の判定処理で、ACKフレームの受領が不要であると判定された場合（Ｓ１２０の「NO」）には、ACKフレームに関する処理（Ｓ１２１乃至Ｓ１２５）はスキップされ、処理はステップＳ１２６に進められ、送信バッファ１０２に格納された送信データは削除される（Ｓ１２６）。また、ステップＳ１２６の処理が終了すると、図１５及び図１６のフローチャートに示した処理は終了する。
【０１８９】
また、ステップＳ１１５の判定処理で、送信データの送信に必要な周波数チャネル数（帯域幅）が揃わないと判定された場合（Ｓ１１５の「NO」）や、ステップＳ１２５の判定処理で、ACKフレームにより受領確認がとれない送信データが存在すると判定された場合（Ｓ１２５の「NO」）には、処理は、ステップＳ１０３に戻り、再度、送信に必要な周波数チャネル数（帯域幅）の選定が行われる。また、ステップＳ１０１の判定処理で、送信データを受領していないと判定された場合（Ｓ１０１の「NO」）には、それ以降の処理自体が行われずに終了される。
【０１９０】
以上、データの送信側の通信装置の動作を説明した。
【０１９１】
（データ受信側の動作）
次に、図１７及び図１８のフローチャートを参照して、例えば、図５の端末局ＳＴＡ１２や端末局ＳＴＡ２１等のデータの受信側の通信装置１０（の無線通信モジュール１５）の動作を説明する。
【０１９２】
無線通信モジュール１５では、自身がマルチチャネル対応の通信装置１０（の無線通信モジュール１５）であるかどうかが判定される（Ｓ２０１）。ステップＳ２０１の判定処理で、マルチチャネル対応であって、ユーザがマルチチャネルを利用した通信の設定を希望していると判定された場合（Ｓ２０１の「YES」）、無線通信モジュール１５では、マルチチャネルでの受信を待ち受ける設定が行われ（Ｓ２０２）、ステップＳ２０３以降の処理が実行される。
【０１９３】
すなわち、制御フレーム受信処理部１１３は、無線受信処理部１１１によりMCH_RTSフレームが受信された場合（Ｓ２０３の「YES」）に、当該MCH_RTSフレームが自身宛のMCH_RTSフレーム（自身を受信先とする要求）であるかどうかを確認する（Ｓ２０４）。
【０１９４】
そして、自身宛のMCH_RTSフレームが受信された場合（Ｓ２０４の「YES」）、制御フレーム受信処理部１１３は、自身宛のMCH_RTSフレーム（のAvailable Channel Map）に記載されたチャネル情報を取得し（Ｓ２０５）、送信側の通信装置１０（例えば基地局ＡＰ）が送信データ（を含むデータフレーム）を送信可能な全ての周波数チャネルの伝送路の利用状況を把握する（Ｓ２０６）。
【０１９５】
また、制御フレーム受信処理部１１３は、自身宛のMCH_RTSフレーム（のRequirement Bandwidth）に記載された帯域幅情報を取得する（Ｓ２０７）。そして、マルチチャネル管理部１０５は、チャネル情報及び帯域幅情報に基づいて、送信可能な周波数チャネルの中に、自身を受信先として受信可能な周波数チャネルがあるかどうかを判定する（Ｓ２０８）。
【０１９６】
ここでは、自身を受信先として受信可能な周波数チャネルがある場合（Ｓ２０８の「YES」）には、制御フレーム送信処理部１０７は、その周波数チャネルを受信可能チャネルに設定し（Ｓ２０９）、データ伝送の持続時間をDuration情報として設定する（Ｓ２１０）。これにより、無線送信処理部１０９は、ステップＳ２０９の処理で設定された受信可能チャネルを利用して、CTSフレームを送信する（Ｓ２１１）。
【０１９７】
また、制御フレーム受信処理部１１３は、ステップＳ２０９の処理で設定された受信可能チャネルにて、データフレームの受信を待ち受ける設定を行う（Ｓ２１２）。このように、送信可能な周波数チャネルの中から選択された受信可能チャネルは、データフレームを受信するための受信チャネルであるとともに、CTSフレームを送信するための送信チャネルでもある。
【０１９８】
なお、この受信可能チャネルの設定は、例えば、図５の基地局ＡＰ１０等のデータ送信側の通信装置１０（の無線通信モジュール１５）が、送信可能としている全ての周波数チャネルの判定が行われるまで（Ｓ２１３の「YES」）、ステップＳ２０８に戻って、ステップＳ２０８乃至Ｓ２１３の処理が繰り返される。
【０１９９】
これにより、送信側の通信装置１０（例えば基地局ＡＰ）で送信データ（を含むデータフレーム）を送信可能な周波数チャネルの中から、受信側の通信装置１０（例えば端末局ＳＴＡ）で送信データ（を含むデータフレーム）を受信可能な周波数チャネルを選択して、データフレームの送信に利用される周波数の帯域幅を確保することが可能となる（データフレームの送信に必要な周波数チャネル数を確保することが可能となる）。
【０２００】
その後、無線通信モジュール１５では、ステップＳ２０８乃至Ｓ２１３の処理が繰り返されることで設定された受信可能チャネルで、データフレームを受信したかどうかが判定され（Ｓ２１４）、データフレームを受信したと判定された場合（Ｓ２１４の「YES」）には、さらに、データフレームに格納された受信データを正常に受信できたかどうかが判定される（Ｓ２１５）。
【０２０１】
そして、無線通信モジュール１５では、受信データを正常に受信できたと判定された場合（Ｓ２１５の「YES」）、その受信データを受信バッファ１１６に格納する（Ｓ２１６）とともに、そのACK情報としてのシーケンス番号等を構築する（Ｓ２１７）。また、無線通信モジュール１５では、全ての受信データが揃ったかどうかが判定され（Ｓ２１８）、全ての受信データが揃った場合（Ｓ２１８の「YES」）には、受信バッファ１１６に格納された受信データが、インターフェース１０１を介して、プロトコル上位層のアプリケーションに出力される（Ｓ２１９）。
【０２０２】
ステップＳ２１９の処理が終了すると、処理は、ステップＳ２２０に進められる。なお、データフレームを受信していないと判定された場合（Ｓ２１４の「NO」）、受信データを正常に受信できていないと判定された場合（Ｓ２１５の「NO」）、又は全ての受信データが揃っていないと判定された場合（Ｓ２１８の「NO」）においても、処理は、ステップＳ２２０に進められる。
【０２０３】
ここでは、例えば、データフレームの送信に利用する周波数の帯域幅を確保できなかった場合、すなわち、データの送信側の通信装置１０（基地局ＡＰ）で、CTSフレームの受信に応じて設定される受信可能チャネルによって、要求される周波数チャネル数（帯域幅）以上（要求数以上）の設定が不可能であると判定された場合（図１６のＳ１１５の「NO」）には、データフレームは未送信とされ（図１６のＳ１１８を未実行）、データの受信側の通信装置１０（端末局ＳＴＡ）では、データフレームが未受信と判定される（Ｓ２１４の「NO」）。
【０２０４】
無線通信モジュール１５では、ACKフレームの返送が必要であるかどうかが判定され（Ｓ２２０）、ACKフレームの返送が必要であると判定された場合（Ｓ２２０の「YES」）には、さらに、自身がマルチチャネル対応であるかどうかが判定される（Ｓ２２１）。そして、自身がマルチチャネル対応であると判定された場合（Ｓ２２１の「YES」）には、マルチチャネル管理部１０５は、送信可能な全ての周波数チャネルの伝送路の利用状況を把握する（Ｓ２２２）。
【０２０５】
また、無線通信モジュール１５では、MCH_BARフレームを受信したかどうかが判定される（Ｓ２３３）。そして、MCH_BARフレームを受信したと判定された場合（Ｓ２３３の「YES」）には、制御フレーム受信処理部１１３は、MCH_BARフレーム（のAvailable Channel Map）に記載された受信側の通信装置１０がACKフレーム（例えば端末局ＳＴＡ）を送信可能な周波数チャネルに関するチャネル情報を取得する（Ｓ２２４）。
【０２０６】
このとき、データフレームの受信時（Ｓ２１４）に利用される送信チャネル（第１の周波数チャネル）と、MCH_BARフレームの受信時（Ｓ２２３）に利用される送信チャネル（第２の周波数チャネル）とは、異なる周波数チャネルとされることがあり、全てのチャネルで受信を行う。
【０２０７】
また、制御フレーム送信処理部１０７は、ステップＳ２２４の処理で取得されたチャネル情報の中の少なくとも１つのチャネル周波数を送信チャネルとして設定する（Ｓ２２５）。これにより、無線送信処理部１０９は、ステップＳ２２５の処理で設定された送信チャネルを利用して、ACKフレームを送信する（Ｓ２２６）。
【０２０８】
なお、ステップＳ２２１の判定処理で、自身がマルチチャネル未対応であると判定された場合（Ｓ２２１の「NO」）には、ステップＳ２２２乃至Ｓ２２５の処理はスキップされ、単一の送信チャネルでACKフレームが送信される（Ｓ２２６）。また、ステップＳ２２０の判定処理で、ACKフレームの送信が不要であると判定された場合（Ｓ２２０の「NO」）、ステップＳ２２１乃至Ｓ２２６の処理はスキップされ、ACKフレームは未送信とされる。また、ステップＳ２２６の処理が終了すると、図１７及び図１８のフローチャートに示した処理は終了する。
【０２０９】
また、ステップＳ２０３の判定処理で、MCH_RTSフレームを受信していないと判定された場合（Ｓ２０３の「NO」）、ステップＳ２０４の判定処理で、他の通信装置１０宛てのMCH_RTSフレームであると判定された場合（Ｓ２０４の「NO」）、又はステップＳ２０８の判定処理で、受信可能な周波数チャネルがないと判定された場合（Ｓ２０８の「NO」）には、処理は、ステップＳ２１４に進められ、データフレームの受信動作が行われる。
【０２１０】
以上、データの受信側の通信装置の動作を説明した。
【０２１１】
以上のように、本技術を適用した通信方法（新方式）では、例えば20MHz帯域幅で１つのチャネルとして構成される複数の周波数チャネルを利用してデータを送受信する無線LANシステムにおいて、送信側の通信装置１０（例えば基地局ＡＰ）にて利用可能なチャネル資源の情報（チャネル情報）と、20MHz帯域幅のチャネル量の情報（帯域幅情報）とを含んだ要求フレーム（MCH_RTSフレーム）が送信される。一方で、受信側の通信装置１０（例えば端末局ＳＴＡ）にて、要求フレームの情報に基づき、利用可能な少なくとも１つ以上のチャネル資源が選択されその選択された周波数チャネルを利用して応答フレーム（CTSフレーム）が返送される。
【０２１２】
これにより、無線LANシステムにおいて、データの送信側の通信装置１０（例えば基地局ＡＰ）と、データの受信側の通信装置１０（例えば端末局ＳＴＡ）とが通信を行うに際し、複数の周波数チャネルの利用状況に応じて空きチャネルで通信を行うことができる。すなわち、オーバーラップして隣接するベーシックサービスセット（BSS）で利用されていない周波数チャネルを利用して通信を実施することができる。例えば、図４に示したように、240MHzや320MHz単位で周波数チャネルを利用する場合には、帯域幅が広いため、他の周波数チャネルと被る可能性が非常に高くなるが、本技術を適用した通信方法（新方式）では、複数の周波数チャネルの利用状況に応じて空きチャネルを選択することができるため、周波数帯域が重なることを回避することができる。
【０２１３】
また、データの送信側の通信装置１０（例えば基地局ＡＰ）の伝送路利用状況のみならず、データの受信側の通信装置１０（例えば端末局ＳＴＡ）の伝送路利用状況に応じて、最適な周波数チャネルを利用して通信を実施することができる。これにより、現状の方式の無線LANシステムで運用されている周波数チャネルであっても、現状の方式に対応した通信装置（レガシー端末）との互換性を保って、アクセス制御を行うことができる。
【０２１４】
さらに、無線LANシステムにおいて、データの送信後に、送信側の通信装置１０（例えば基地局ＡＰ）にて利用可能なチャネル資源の情報（チャネル情報）を含んだ要求フレーム（MCH_BARフレーム）を送信することで、データの受信側の通信装置１０（例えば端末局ＳＴＡ）では、データの受信後にACKフレームを返送する場合に、ACKフレームを返送可能な周波数チャネルを選択することができる。これにより、データの受信側の通信装置１０は、他の通信が行われている可能性のない周波数チャネルでACKフレームを返送することができるため、確実にACKフレームを返送することができる。
【０２１５】
ここで、上述の特許文献１には、複数の周波数チャネルの中から、受信機において送信又は受信にも利用可能な１つの周波数チャネルのみを選択し得る技術が開示されているが、データフレームの受信とその後のACKフレームの送信（返送）を考慮して、送受信可能な周波数チャネルを選択することが想定される。それに対して本技術では、データフレームを受信した後のACKフレームの送信（返送）を行うに際して、MCH_BARフレームを用いて利用可能な周波数チャネルをその都度選択する構成となっているため、データフレームの受信のみ可能な周波数チャネルも選択することができる。これにより、本技術の構成では、上述の特許文献１の構成では選択されない周波数チャネル（データフレームの受信のみ可能な周波数チャネル）まで利用可能な周波数チャネルが増えることになって、伝送路の利用効率を向上させることができる。
【０２１６】
また、上述の特許文献１には、他のデバイスによる妨害のためにチャネルが占有されていることを検出するために電力密度を測定し、占有チャネルのIDを決定する技術が開示されているが、仮想的キャリア検出によるネットワークアロケーションベクタ（NAV）が設定されている状態では、占有チャネルとして認識されないため、そのようなチャネルを利用すると衝突（コリジョン）が発生する恐れがある。それに対して、本技術では、ネットワークアロケーションベクタ（NAV）が設定されている周波数チャネルを認識して当該周波数チャネルを除いた周波数チャネルを選択する構成となっていることから、そのような衝突を回避することができる。
【０２１７】
なお、上述の文献Ａには、各端末にあらかじめ割り当てたチャネル情報を、プライマリチャネルでRTSフレーム（マルチユーザRTS）として送信し、各端末からCTSフレームの受領をもって、データを送信する構成が開示されているが、データの送信チャネルは、各端末にあらかじめ割り当てられており、ネットワークアロケーションベクタ（NAV）が設定されていれば、CTSフレームによる応答を行うことができず、データ送信を行うこともできなかった。それに対して本技術では、CTSフレームの送信（応答）を行うに際して、MCH_RTSフレームを用いて利用可能な周波数チャネルをその都度選択する構成となっていることから、そのようなデータ送信を行うことができないという状況を回避することができる。
【０２１８】
また、下記の文献Ｂには、RTSフレームに要求チャネル帯域幅を記載して、CTSフレームにて要求チャネル帯域幅を承認するフィールドを含む構成が開示され、RTSフレームは要求チャネル数の帯域幅で、CTSフレームは応答チャネル数の帯域幅でそれぞれ送信されるものの、中心周波数が同じである。それに対して本技術では、CTSフレームの送信（応答）を行うに際して、MCH_RTSフレームを用いて利用可能な周波数チャネルをその都度選択する構成となっているため、複数の周波数チャネルの利用状況に応じて空きチャネルを選択することができる。
【０２１９】
文献Ｂ：特開2014-195266号公報
【０２２０】
＜２．変形例＞
【０２２１】
（他の構成の例）
上述した説明では、通信装置１０は、基地局ＡＰ又は端末局ＳＴＡとして構成されるとして説明したが、本技術を適用した通信装置は、基地局ＡＰ又は端末局ＳＴＡのほか、基地局ＡＰ又は端末局ＳＴＡを構成する装置の一部（例えば、無線通信モジュールや無線チップ等）として構成されるようにしてもよい。
【０２２２】
また、端末局ＳＴＡは、例えば、スマートフォン、タブレット型端末、携帯電話機、パーソナルコンピュータ、デジタルカメラ、ゲーム機、テレビ受像機、ウェアラブル端末、スピーカ装置などの無線通信機能を有する電子機器として構成することができる。
【０２２３】
また、上述した説明では、基地局ＡＰが、データの送信側の通信装置１０である一方で、端末局ＳＴＡが、データの受信側の通信装置１０であるとして説明したが、送信側と受信側とを反対にして、端末局ＳＴＡを、データの受信側の通信装置１０とし、基地局ＡＰを、データの送信側の通信装置１０とするようにしてもよい。この場合には、端末局ＳＴＡによって、図１５及び図１６のフローチャートに示したデータ送信側の動作が実行され、基地局ＡＰによって、図１７及び図１８のフローチャートに示したデータ受信側の動作が実行される。
【０２２４】
なお、本技術の実施の形態は、上述した実施の形態に限定されるものではなく、本技術の要旨を逸脱しない範囲において種々の変更が可能である。
【０２２５】
また、本技術は、以下のような構成をとることができる。
【０２２６】
（１）
データを送信可能な周波数チャネルに関するチャネル情報、及び前記データの送信に利用する周波数の帯域幅に関する帯域幅情報を生成し、
前記送信可能な周波数チャネルの中から選択した周波数チャネルを利用して、生成した前記チャネル情報及び前記帯域幅情報を含む要求信号を他の通信装置に送信し、
前記他の通信装置で受信可能な周波数チャネルとして選択された周波数チャネルを利用して、前記データを前記他の通信装置に送信する
制御を行う制御部を備える
通信装置。
（２）
前記チャネル情報は、前記他の通信装置で選択可能となる周波数チャネルを含む
前記（１）に記載の通信装置。
（３）
前記チャネル情報は、前記データの送信に利用する周波数の帯域幅よりも広い帯域幅を選択可能となる周波数チャネルを含む
前記（１）又は（２）に記載の通信装置。
（４）
前記制御部は、
前記他の通信装置が受信可能な周波数チャネルを利用して、前記他の通信装置から送信されてくる応答信号を受信し、
受信した前記応答信号に基づいて、前記受信可能な周波数チャネルの中から、利用する周波数チャネルを選択する
制御を行う
前記（１）乃至（３）のいずれかに記載の通信装置。
（５）
前記要求信号は、マルチチャネルに対応したRTS(Request to Send)フレームであり、
前記応答信号は、CTS(Clear to Send)フレームである
前記（４）に記載の通信装置。
（６）
他の通信装置から送信されてくる、前記他の通信装置がデータを送信可能な周波数チャネルに関するチャネル情報、及び前記データの送信に利用する周波数の帯域幅に関する帯域幅情報を含む要求信号を、前記送信可能な周波数チャネルの中から選択された周波数チャネルを利用して受信し、
受信した前記要求信号に含まれる前記チャネル情報及び前記帯域幅情報に基づいて、前記送信可能な周波数チャネルの中から受信可能な周波数チャネルを選択し、
選択した前記受信可能な周波数チャネルを利用して、応答信号を前記他の通信装置に送信する
制御を行う制御部を備える
通信装置。
（７）
前記制御部は、前記応答信号を送信した後に、選択した前記受信可能な周波数チャネルを利用して、前記他の通信装置から送信されてくる前記データを受信する制御を行う
前記（６）に記載の通信装置。
（８）
前記チャネル情報は、前記通信装置で選択可能となる周波数チャネルを含む
前記（６）又は（７）に記載の通信装置。
（９）
前記チャネル情報は、前記データの送信に利用する周波数の帯域幅よりも広い帯域幅を選択可能となる周波数チャネルを含む
前記（８）に記載の通信装置。
（１０）
前記要求信号は、マルチチャネルに対応したRTSフレームであり、
前記応答信号は、CTSフレームである
前記（６）乃至（９）のいずれかに記載の通信装置。
（１１）
第１の周波数チャネルを利用して、データを他の通信装置に送信し、
前記データの正常な受信の確認を要求するための信号であって、前記他の通信装置が確認信号を送信可能な周波数チャネルに関するチャネル情報を含む要求信号を生成し、
前記送信可能な周波数チャネルの中から選択された第２の周波数チャネルを利用して、生成した前記要求信号を前記他の通信装置に送信する
制御を行う制御部を備える
通信装置。
（１２）
前記第２の周波数チャネルは、前記第１の周波数チャネルと異なる
前記（１１）に記載の通信装置。
（１３）
前記制御部は、前記他の通信装置で前記送信可能な周波数チャネルの中から選択された周波数チャネルを利用して、前記他の通信装置から送信されてくる前記確認信号を受信する制御を行う
前記（１１）又は（１２）に記載の通信装置。
（１４）
前記チャネル情報は、前記他の通信装置で選択可能となる周波数チャネルを含む
前記（１１）乃至（１３）のいずれかに記載の通信装置。
（１５）
前記制御部は、前記送信可能な周波数チャネルを利用して、前記他の通信装置から送信されてくる前記確認信号を受信する制御を行う
前記（１１）乃至（１４）のいずれかに記載の通信装置。
（１６）
前記要求信号は、マルチチャネルに対応したBAR(Block Ack Request)フレームであり、
前記確認信号は、ACK(Acknowledgement)フレームである
前記（１１）乃至（１５）のいずれかに記載の通信装置。
（１７）
第１の周波数チャネルを利用して、他の通信装置から送信されてくるデータを受信し、
第２の周波数チャネルを利用して、前記他の通信装置から送信されてくる、前記データの正常な受信の確認を要求するための信号であって、確認信号を送信可能な周波数チャネルに関するチャネル情報を含む要求信号を受信し、
前記データを正常に受信した場合、受信した前記要求信号に含まれる前記チャネル情報に基づいて、前記送信可能な周波数チャネルの中から周波数チャネルを選択し、
選択した前記周波数チャネルを利用して、前記確認信号を前記他の通信装置に送信する
制御を行う制御部を備える
通信装置。
（１８）
前記第２の周波数チャネルは、前記第１の周波数チャネルと異なる
前記（１７）に記載の通信装置。
（１９）
前記チャネル情報は、前記通信装置で選択可能となる周波数チャネルを含む
前記（１７）又は（１８）に記載の通信装置。
（２０）
前記要求信号は、マルチチャネルに対応したBARフレームであり、
前記確認信号は、ACKフレームである
前記（１７）乃至（１９）のいずれかに記載の通信装置。
【符号の説明】
【０２２７】
１０  通信装置，  １１  インターネット接続モジュール，  １２  情報入力モジュール，  １３  機器制御部，  １４  情報出力モジュール，  １５  無線通信モジュール，  １０１  インターフェース，  １０２  送信バッファ，  １０３  ネットワーク管理部，  １０４  送信フレーム構築部，  １０５  マルチチャネル管理部，  １０６  管理情報生成部，  １０７  制御フレーム送信処理部，  １０８  送信電力制御部，  １０９  無線送信処理部，  １１０  アンテナ制御部，  １１１  無線受信処理部，  １１２  検出閾値制御部，  １１３  制御フレーム受信処理部，  １１４  管理情報処理部，  １１５  受信データ構築部，  １１６  受信バッファ，  １５１  送受信データ入出力部，  １５２  制御部，  １５３  フロントエンド部，  ＡＰ  基地局，  ＳＴＡ  端末局
【図１】
2020031682.tif 000003
【図２】
2020031682.tif 000004
【図３】
2020031682.tif 000005
【図４】
2020031682.tif 000006
【図５】
2020031682.tif 000007
【図６】
2020031682.tif 000008
【図７】
2020031682.tif 000009
【図８】
2020031682.tif 000010
【図９】
2020031682.tif 000011
【図１０】
2020031682.tif 000012
【図１１】
2020031682.tif 000013
【図１２】
2020031682.tif 000014
【図１３】
2020031682.tif 000015
【図１４】
2020031682.tif 000016
【図１５】
2020031682.tif 000017
【図１６】
2020031682.tif 000018
【図１７】
2020031682.tif 000019
【図１８】
2020031682.tif 000020
【国際調査報告】
2020031682.tif 000021
2020031682.tif 000022
2020031682.tif 000023
2020031682.tif 000024
2020031682.tif 000025
2020031682.tif 000026
2020031682.tif 000027
2020031682.tif 000028